(57)【要約】【課題】高さ寸法が小さく、かつ、靴底が迅速に美しく清掃でき、一方向へ足が流れない靴底クリーニング装置を提供することを目的とする。【解決手段】平面視一直線状のブラシ２を同一平面上に、平行に左右方向に配設して、ステー５のスリット７から上方へ露出させ、さらに、隣合うブラシ２，２を左右逆方向に移動させる。【選択図】図18
2009233160.tif 000002
【特許請求の範囲】
【請求項１】
平面視一直線状のブラシ（２）を同一平面上に複数本平行にかつ左右方向に配設し、隣合うブラシ (２)(２) を左右逆方向に往復移動させる駆動手段（10）を設けたことを特徴とする靴底クリーニング装置。
【請求項２】
平面視一直線状のブラシ（２）を同一平面上に複数本平行にかつ左右方向に配設し、隣合うブラシ (２)(２) を左右逆方向に往復移動させる駆動手段（10）を設け、
該駆動手段（10）は、左右の回転輪 (８)(９) に左右水平方向に懸架されたエンドレスベルト（11）と、該エンドレスベルト（11）を正転逆転を交互に行うアクチュエータ（12）と、を備えると共に、複数本の上記ブラシ（２）の内の前端縁から奇数番目のものを上記エンドレスベルト（11）の上辺（11Ｂ）・下辺（11Ａ）の内の一方に第１連結機構（21）にて連動連結し、かつ、偶数番目のものを上記エンドレスベルト（11）の上辺（11Ｂ）・下辺（11Ａ）の内の他方に第２連結機構（22）にて連動連結して、上記奇数番目の複数本のブラシ（２）から成る奇数ブラシ群（Ｇ1 ）と、上記偶数番目の複数本のブラシ（２）から成る偶数ブラシ群（Ｇ2 ）とを、左右逆方向に同期して往復移動させるように構成したことを特徴とする靴底クリーニング装置。
【請求項３】
上記第１連結機構（21）は、上記奇数ブラシ群（Ｇ1 ）を構成する複数本のブラシ（２）の基端（２Ａ）を串挿状に挿通する第１棒材（31）と、該第１棒材（31）の両端に固着の第１係止片（41)(41) と、上記エンドレスベルト（11）の上辺（11Ｂ）・下辺（11Ａ）の内の一方に固着されて上記第１係止片（41）が係脱可能に係止する第１受持部材（51）と、を備え、上記第２連結機構（22）は、上記偶数ブラシ群（Ｇ2 ）を構成する複数本のブラシ（２）の基端（２Ａ）を串挿状に挿通する第２棒材（32）と、該第２棒材（32）の両端に固着の第２係止片（42)(42) と、上記エンドレスベルト（11）の上辺 (11Ｂ) ・下辺 (11Ａ) の内の他方に固着されて上記第２係止片（42）が係脱可能に係止する第２受持部材52と、を備えている請求項２記載の靴底クリーニング装置。
【請求項４】
ステー（５）及び上部パネル（19）を付設すると共に、該ステー（５）は各ブラシ（２）に対応する左右方向のスリット（７）を形成する複数本の固定支持部材（６）を有し、かつ、上記上部パネル（19）は中央域に窓部（33）を有すると共に、蝶番（35）にて約 180°揺動して、開放自在に構成した請求項１，２又は３記載の靴底クリーニング装置。
【請求項５】
各ブラシ（２）は、その先端（２Ｂ）に空転自在な支持輪（16）を有する請求項１，２，３又は４記載の靴底クリーニング装置。
【請求項６】
平面視矩形の底板（18）を有し、かつ、該底板（18）の前縁（18Ａ）と後縁（18Ｂ）に沿って２本の上記エンドレスベルト (11)(11) が配設され、かつ、該エンドレスベルト (11)(11) は歯付きベルトであり、左右の上記回転輪 (８)(９) の内の一方のものは、連動軸（36）にて連結された前後一対の同期輪として、一体に回転すると共に凹凸歯を有し、さらに、左右の上記回転輪 (８)(９) の内の他方は、分離した前後一対の短軸 (37)(37) にて枢支されている請求項２，３，４又は５記載の靴底クリーニング装置。
【発明の詳細な説明】
【技術分野】
【０００１】
本発明は、建物や工場や施設等の出入口等の床に設置される靴底クリーニング装置に関する。
【背景技術】
【０００２】
従来、このような靴底クリーニング装置としては、浅い箱形のケース内に、多数の植毛（ブラシ毛）を取着したベルトを複数本（平面視）平行に並設して、このベルトをエンドレス状に全て（左右いずれかの）同一方向に走行させ、ステーのスリットから、上記植毛（ブラシ毛）の上端を僅かに突出させて、ステー上に乗った人の靴底を、掃除（ブラッシング）する構成であった（例えば、特許文献１参照）。
【特許文献１】実開昭５１−１６５４２号公報
【発明の開示】
【発明が解決しようとする課題】
【０００３】
しかしながら、従来の上述のような靴底クリーニング装置では、次のような問題点があった。
(ｉ) ステー上面から突出状の植毛（ブラシ毛）の上端は、右方向又は左方向のいずれか一方向に走行しているので、足元がその一方向に流されて振らついたり、あるいは、転倒の危険もあった。
(ii) そして、植毛（ブラシ毛）が、一方向にのみ走行しているので、靴底に付着の泥やゴミ等が落ち難く、残留する場合もあった。
(iii) エンドレス状に周囲を廻るベルトの外周面から、比較的長寸の植毛（ブラシ毛）が取着（突出）している構造であるので、エンドレス状ベルトの下辺走行部位と、前記浅い箱形のケース底壁との間には、植毛（ブラシ毛）が接触しないだけの十分な間隔を必要とし、それだけ、前記浅い箱形のケースの高さ寸法が増加し、靴底クリーニング装置を出入口等の床面に設置する上で深い凹窪部を形成する必要を生じていた。あるいは、平坦な床面に設置すると、高さ寸法が大きいので、人が躓く等の問題があった。
【０００４】
そこで、本発明は、高さ寸法（厚さ寸法）が小さく、床面への設置がしやすく、又は、躓かないで済み、しかも、身体が一方向へ流されて振れたり転倒することを防止でき、かつ、靴底を迅速に（残留物無く）清掃できる、構造の簡易な靴底クリーニング装置を提供することを、目的とする。
【課題を解決するための手段】
【０００５】
そこで、本発明に係る靴底クリーニング装置は、平面視一直線状のブラシを同一平面上に複数本平行にかつ左右方向に配設し、隣合うブラシを左右逆方向に往復移動させる駆動手段を設けたものである。
また、本発明は、平面視一直線状のブラシを同一平面上に複数本平行にかつ左右方向に配設し、隣合うブラシを左右逆方向に往復移動させる駆動手段を設け、該駆動手段は、左右の回転輪に左右水平方向に懸架されたエンドレスベルトと、該エンドレスベルトを正転逆転を交互に行うアクチュエータと、を備えると共に、複数本の上記ブラシの内の前端縁から奇数番目のものを上記エンドレスベルトの上辺・下辺の内の一方に第１連結機構にて連動連結し、かつ、偶数番目のものを上記エンドレスベルトの上辺・下辺の内の他方に第２連結機構にて連動連結して、上記奇数番目の複数本のブラシから成る奇数ブラシ群と、上記偶数番目の複数本のブラシから成る偶数ブラシ群とを、左右逆方向に同期して往復移動させるように構成したものである。
【０００６】
また、上記第１連結機構は、上記奇数ブラシ群を構成する複数本のブラシの基端を串挿状に挿通する第１棒材と、該第１棒材の両端に固着の第１係止片と、上記エンドレスベルトの上辺・下辺の内の一方に固着されて上記第１係止片が係脱可能に係止する第１受持部材と、を備え、上記第２連結機構は、上記偶数ブラシ群を構成する複数本のブラシの基端を串挿状に挿通する第２棒材と、該第２棒材の両端に固着の第２係止片と、上記エンドレスベルトの上辺・下辺の内の他方に固着されて上記第２係止片が係脱可能に係止する第２受持部材と、を備えている。
【０００７】
ステー及び上部パネルを付設すると共に、該ステーは各ブラシに対応する左右方向のスリットを形成する複数本の固定支持部材を有し、かつ、上記上部パネルは中央域に窓部を有すると共に、蝶番にて約 180°揺動して、開放自在に構成されている。
また、各ブラシは、その先端に空転自在な支持輪を有するものである。
また、平面視矩形の底板を有し、かつ、該底板の前縁と後縁に沿って２本の上記エンドレスベルトが配設され、かつ、該エンドレスベルトは歯付きベルトであり、左右の上記回転輪の内の一方のものは、連動軸にて連結された前後一対の同期輪として、一体に回転すると共に凹凸歯を有し、さらに、左右の上記回転輪の内の他方は、分離した前後一対の短軸にて枢支されている。
【発明の効果】
【０００８】
本発明によれば、乗った人の足元が一方向に流されず、振らつくことなく、靴底が満遍なく（均等に）かつ迅速に清掃される。しかも、全体の高さ寸法（厚さ寸法）が減少できて、床面への設置が容易となり、人が躓くこともなくなる。
【発明を実施するための最良の形態】
【０００９】
以下、図示の実施の形態に基づき本発明を詳説する。
図１と図２の平面図に於て、一直線状のブラシ２を複数本平行に、かつ、左右方向に、配設し、隣合うブラシ２，２を、左右逆方向に往復移動させる駆動手段10を具備する。
ブラシ２は、図17（Ａ）の正面図と、同図（Ｂ）の側面図に例示の如く、上方開口Ｕ字型の（金属製の）保持部材３と、この保持部材３の上方開口溝内に嵌着されて上方へ起立状の多数の植毛（ブラシ毛）４と、から成る。図１と図２では、このような（図17の）ブラシ２を簡略化して、図面に描いている。
【００１０】
なお、図１と図２に於て、上下方向は人が通過する前後方向を示し、左右方向は、図示の通りである。図18の使用状態を示す斜視図のように、ステー５の左右方向の支持部材６，６間に形成されたスリット７に一直線上の上記ブラシ２が対応するように（下方から）巻込まれており、全てのブラシ２は同一平面上に、配設され、隣合うブラシ２，２は、矢印Ｘ，Ｙのように、左右逆方向に往復移動する。
【００１１】
駆動手段10は、図３の簡略構成説明図（正面図）、及び、図１，図２の平面図に示すように、左右の回転輪８，９に、左右水平方向に懸架されたエンドレスベルト11と、このエンドレスベルト11を（矢印Ｘ，Ｙのように）正転逆転を交互に行うアクチュエータ12と、を備えている。そして、上述した複数本のブラシ２の内の（前端縁から算えて）奇数番目のものをエンドレスベルト11の下辺11Ａに第１連結機構21にて連動連結する。また、複数本のブラシ２の内の（前端縁から算えて）偶数番目のものをエンドレスベルト11の上辺11Ｂに第２連結機構22にて連動連結する。このように、駆動手段10を構成して、駆動手段10は、奇数番目（第１，３，５，７…番目）のブラシ２から成る奇数ブラシ群Ｇ1 と、偶数番目（第２，４，６，８…番目）のブラシ２から成る偶数ブラシ群Ｇ2 とを、左右逆方向に、同期して、往復移動させる。
【００１２】
このように、駆動手段10は、左右の回転輪８，９に懸架されたエンドレスベルト11と、エンドレスベルト11を正転逆転を（全周長の 1/4未満のストロークにて）交互に行うアクチュエータ12と、奇数ブラシ群Ｇ1 をエンドレスベルト11の下辺11Ａに連結する第１連結機構21と、偶数ブラシ群Ｇ2 をエンドレスベルト11の上辺11Ｂに連結する第２連結機構22とを、具備する。なお、図示省略するが、奇数ブラシ群Ｇ1 を第１連結機構21にて上辺11Ｂに連結し、かつ、偶数ブラシ群Ｇ2 を第２連結機構22にて下辺11Ａに連結するも、（設計変更）自由である。
【００１３】
そして、第１連結機構21は、図１，図２，図３、及び、図15, 図16に示す如く、奇数ブラシ群Ｇ1 を構成する複数本のブラシ２の基端２Ａを串挿状に挿通する第１棒材31と、この第１棒材31の両端に固着の第１係止片41, 41と、エンドレスベルト11の上辺11Ｂ・下辺11Ａの内の一方（図例では下辺11Ａを示す）に固着されて第１係止片41が係脱自在に（図16の矢印Ｃ1 で示す下方向に）係止される係止スリット13を有する第１受持部材51と、を備えている。
【００１４】
また、第２連結機構22は、図１，図２，図３、及び、図13, 図14に示す如く、偶数ブラシ群Ｇ2 を構成する複数本のブラシ２の基端２Ａを串挿状に挿通する第２棒材32と、この第２棒材32の両端に固着の第２係止片42, 42と、エンドレスベルト11の上辺11Ｂ・下辺11Ａの内の他方（図例では上辺11Ｂを示す）に固着されて、第２係止片42が係脱自在に（図14の矢印Ｃ2 で示す下方向に）係止される係止スリット14を有する第２受持部材52と、を備えている。
【００１５】
なお、図例では、第１・第２棒材31, 32は、丸棒であり、ブラシ２の保持部材３に丸孔15を貫設して、これに挿通する。なお、短筒状スペーサを第１・第２棒材31, 32の毎々に外嵌して、ブラシ２，２相互間隔を一定に保つようにしても良い。
【００１６】
図18の矢印Ｘ，Ｙのように、左右逆方向に同期して、奇数ブラシ群Ｇ1 と偶数ブラシ群Ｇ2 とが、往復移動するといえども、全てのブラシ２の高さ位置を同一として、同一平面上に配置せねばならない。そこで、図13〜図16に示すように、上辺11Ｂに第２受持部材52と第２係止片42を介して保持される第２棒材32と、下辺11Ａに第１受持部材51と第１係止片41を介して保持される第１棒材31とは、同一高さ位置として、同一平面上に配置する必要がある。そこで、図14で明らかな如く、第２係止片42は垂下片部43を有する（数字の）７の字型として、その垂下片部43の下端に固着の短筒部44に、第２棒材32の端部を挿入保持させ、第２棒材32の上下位置を、ベルト上辺11Ｂ（第２受持部材52）よりも、十分に下方位置としている。これに対し、図16及び図４に示すように、第１係止片41は門型（チャンネル型）であって、ベルト下辺11Ａ（第１受持部材51）と略同一上下位置に保持している。
【００１７】
このようにして、図１，図２の平面図に示した奇数ブラシ群Ｇ1 と偶数ブラシ群Ｇ2 とは、同一平面上に存在していて、櫛の歯が相互に噛合するように組合わされる動きをする。
なお、図17（Ａ）に２点鎖線にて示すように、各ブラシ２は、その先端（２Ｂ）に、空転自在な支持輪16を有する。
図１，図２、及び、図４，図５に示すように、建物入口や施設入口等の床面又は嵌込用浅凹所底面等に接触する矩形状底板18を有している。この底板18上に上記支持輪16が転動しつつ、ブラシ２の先端２Ｂが下方から支持される。
【００１８】
次に、ステー５、及び、その上から部分的に被覆される上部パネル19について、説明する。ステー５は、図18の斜視図、図４の要部断面図、及び、図６の平面図、図７の正面図、図６のＥ−Ｅ断面及びＦ−Ｆ断面を示す図８、及び、図６のＧ−Ｇ断面を示す図９に示したように、各ブラシ２に対応するスリット７を、左右方向に平行に配設した複数本の固定支持部材６によって、形成している。具体的には、各固定支持部材６は、中間部材23と左側部材24と右側部材25から成り、中間部材23は、帯状鉛直壁片23Ａとその上端の幅狭水平壁片23Ｂとを有する板金折曲品である。この中間部材23の鉛直壁片23Ａの下端は、上記底板18の上面に載置（接触）して、支持される。他方、左側・右側部材24, 25は角棒材（ミガキ棒鋼等）が用いられ、図６の平面視では、角棒材の左側・右側部材24, 25と、（中間位置の）中間部材23とは、同一幅で連続一直線状に見える。なお、板金製の第１ステー受け台26・第２ステー受け台27が、左辺・右辺に、設けられ、角棒材の部材24, 25の外端を下方から受持し、（図示省略の）底板18に載置される。
【００１９】
図７に示すように、このステー５は、左側と右側に、所定左右寸法Ｄの空間部28, 28が、下方開口状に、形成され、底板18上にステー５を載置すると、矩形状空間部28, 28が形成され、前記第１・第２棒材31, 32が往復移動しても、ステー５と干渉することを防止している。即ち、各ブラシ群Ｇ1 ，Ｇ2 が矢印Ｘ，Ｙ方向に往復運動できる移動可能な左右寸法Ｄの空間部28, 28が形成されている。
【００２０】
また、左右一方（図例では左側）の第１ステー受け台26は断面Ｚ字型の部材であり、他方（図例では右側）の第２ステー受け台27は、断面変形Ｚ字型として、水平壁片29が、大きく右外方へ延伸し、ターンバックル等の係脱具30，30が付設されていて、底板18に対して、この係脱具30，30により、固定及びスライド離脱自在となっている（図１〜図５参照）。
【００２１】
次に、図10の底面図と図12の要部断面図、及び、図４と図５の要部断面図に示すように、上部パネル19は、中央域に矩形状窓部33を有する（外形が）矩形であって、前縁・後縁の角部に勾配面34, 34を有し、しかも、この上部パネル19は、２軸心揺動蝶番35にて、約 180°揺動して、図12のように開放自在に構成されている。
即ち、この蝶番35は、図１，図２のように、底板18の前縁の左右角部に溶接やリベット等にて、一部品が固着され、２軸心Ｌ1 ，Ｌ2 廻りに各々約90°揺動可能であり、合計で約 180°揺動して、図12のように、大きく、上部パネル19は開放可能である。このように、上部パネル19は、窓部33を有する（大部分の面積を占める）開閉部19Ａと、底板18に固着される（小部分の面積を占める）前縁の固定部19Ｂと、を有している。
【００２２】
ここで、図１，図２等に於て、駆動機構10について、さらに追加説明する。平面視矩形の底板18の前縁18Ａと後縁18Ｂに沿って、２本のエンドレスベルト11, 11が配設される。好ましくは、このエンドレスベルト11, 11は歯付きベルト（タイミングベルト）とする。回転輪８，８，９，９の内の左右一方のもの８，８は、連動軸36にて連結された前後一対の同期輪として、一体に回転すると共に、上記歯付きベルト（タイミングベルト）11が噛合する凹凸歯を有し、さらに、左右の回転輪８，８，９，９の内の左右他方のもの９，９は、分離した（同心上の）前後一対の短軸37, 37にて枢支されている。
【００２３】
アクチュエータ12は、電動シリンダが好ましく、サーボモータ内蔵のものが望ましい。これ以外に、アクチュエータ12としては、エアシリンダ，油圧シリンダ，ロッドレスシリンダ，ギアーモータ，モーターローラ（モータープーリ），ソレノイド等も採用可能である。
【００２４】
図１と図２の図例では、前記第１受持部材51を共用し、アクチュエータ12の往復ロッドの先端を、軸38を介して連結している構造である。図３では別の連結具39を介して、ベルト11に連結した場合を示す。なお、アクチュエータ12の固定部は、底板18に取着されている。アクチュエータ12の往復作動力は、前縁寄りのエンドレスベルト11に伝達され、さらに、連動軸36を介して、後縁寄りのエンドレスベルト11へ伝達され、両タイミングベルト11, 11は同期して、所定ストロークを往復動する。このように、図１と図２の間の交互に、往復動する。
【００２５】
なお、図６と図１，図２とを対比すれば分かるように、図１，図２では、ステー５の固定支持部材６のほとんどを図示省略して示し、最前端と最後端の固定支持部材６，６のみを、簡略化して示す。
（駆動軸としての）連動軸36は前後に長い一本軸であるのに対し、（従動軸としての）短軸37, 37は分離された２本をもって構成して、前後中間領域を開放しており、従って、ステー５及び両ブラシ群Ｇ1 ，Ｇ2 を、容易に右方向へスライドして、取り外し、ゴミやチリを回収し、清掃及びメンテナンスが極めて容易となる。
【００２６】
ステー５を取り外すには、図12のように上部パネル19を開放し、さらに、前記係脱具30を離脱すれば良い。さらに、両ブラシ群Ｇ1 ，Ｇ2 を取り外す場合、図16と図14に示した矢印Ｃ1 ，Ｃ2 と逆方向（上方向）に第１・第２係止片41, 42を抜き出すだけで、簡単に取り外すことができる。
また、図17に２点鎖線にて示した支持輪16を付設すれば、ブラシ２がその長手方向に往復動するときの摩擦抵抗を軽減できて、アクチュエータ12の負担が軽くなり、また、床板18との間で発生する騒音も低下できる。
【００２７】
図４からも明らかなように本発明では、ブラシ２の植毛（ブラシ毛）４は、全てが上方向へ起立したままで、往復移動するため、全体の高さ寸法（厚さ寸法）Ｈは、従来例（特許文献１）に比べて、著しく減少できる。
なお、本発明は図示の実施の形態以外にも設計変更自由であって、アクチュエータ12, 12を２個設けて、奇数ブラシ群Ｇ1 と偶数ブラシＧ2 とを独立して、駆動すると共に、左右逆方向に往復移動するように、電気的又は機械的に、同期させる構成とするも自由である。
【００２８】
以上詳述したように、本発明は、平面視一直線状のブラシ２を同一平面上に複数本平行にかつ左右方向に配設し、隣合うブラシ２，２を左右逆方向に往復移動させる駆動手段10を設けたので、靴底が一方向に流されることがなく、身体が不安定となったり、振らつくこともない。しかも、靴底を残留物がないように短秒間で美しく効率的に清掃できる。
【００２９】
また、本発明は、平面視一直線状のブラシ２を同一平面上に複数本平行にかつ左右方向に配設し、隣合うブラシ２，２を左右逆方向に往復移動させる駆動手段10を設け、該駆動手段10は、左右の回転輪８，９に左右水平方向に懸架されたエンドレスベルト11と、該エンドレスベルト11，を正転逆転を交互に行うアクチュエータ12と、を備えると共に、複数本の上記ブラシ２の内の前端縁から奇数番目のものを上記エンドレスベルト11の上辺11Ｂ・下辺11Ａの内の一方に第１連結機構21にて連動連結し、かつ、偶数番目のものを上記エンドレスベルト11の上辺11Ｂ・下辺11Ａの内の他方に第２連結機構22にて連動連結して、上記奇数番目の複数本のブラシ２から成る奇数ブラシ群Ｇ1 と、上記偶数番目の複数本のブラシ２から成る偶数ブラシ群Ｇ2 とを、左右逆方向に同期して往復移動させるように構成したので、全体の高さ寸法（厚さ寸法）Ｈを著しく減少でき、出入口等に設置した場合に、スマートで、かつ、躓くこともなく、円滑に人が通過できて、迅速に美しく靴底を清掃可能となる。また、多数本のブラシ２をばらけることなく容易に取り外して、ゴミやチリの清掃も簡単にできる。さらに、アクチュエータ12が単数個で済み、構造が簡易となる。
【００３０】
また、上記第１連結機構21は、上記奇数ブラシ群Ｇ1 を構成する複数本のブラシ２の基端２Ａを串挿状に挿通する第１棒材31と、該第１棒材31の両端に固着の第１係止片41，41と、上記エンドレスベルト11の上辺11Ｂ・下辺11Ａの内の一方に固着されて上記第１係止片41が係脱可能に係止する第１受持部材51と、を備え、上記第２連結機構22は、上記偶数ブラシ群Ｇ2 を構成する複数本のブラシ２の基端２Ａを串挿状に挿通する第２棒材32と、該第２棒材32の両端に固着の第２係止片42，42と、上記エンドレスベルト11の上辺11Ｂ・下辺11Ａの内の他方に固着されて上記第２係止片42が係脱可能に係止する第２受持部材52と、を備えている構成であるので、各ブラシ群Ｇ1 ，Ｇ2 を容易に取り外したり、取り付けることが可能となり、ゴミやチリの清掃時の分解、及び、組立てが容易となる。しかも、多数本のブラシ２が整然と確実に、往復移動できる。
【００３１】
また、ステー５及び上部パネル19を付設すると共に、該ステー５は各ブラシ２に対応する左右方向のスリット７を形成する複数本の固定支持部材６を有し、かつ、上記上部パネル19は中央域に窓部33を有すると共に、蝶番35にて約 180°揺動して、開放自在に構成されているので、上部パネル19によって、左右逆方向に移動するブラシ毛の存在する領域を中心として、有効な所望面積のみを露出させて靴底を美しく清掃させることができる。しかも、約 180°も揺動して、大きく上部パネル19を開放できるので、ステー５やブラシ群Ｇ1 ，Ｇ2 の取り出しがスムーズとなり、チリやホコリやゴミの清掃も容易である。（なお、本発明に於て、約 180°とは、 170°〜 190°を言うものとする。）
【００３２】
また、各ブラシ２は、その先端２Ｂに空転自在な支持輪16を有するので、軽快にブラシ２が往復移動でき、騒音も低減でき、ブラシ２相互の干渉も回避し易くなる。また、アクチュエータ12の負担も軽減できる。
また、平面視矩形の底板18を有し、かつ、該底板18の前縁18Ａと後縁18Ｂに沿って２本の上記エンドレスベルト11，11が配設され、かつ、該エンドレスベルト11，11は歯付きベルトであり、左右の上記回転輪８，９の内の一方のものは、連動軸36にて連結された前後一対の同期輪として、一体に回転すると共に凹凸歯を有し、さらに、左右の上記回転輪８，９の内の他方は、分離した前後一対の短軸37，37にて枢支されている構成であるので、左右のベルト11, 11が確実に同期して移動し、ブラシ２，２が円滑に左右逆方向に運動する。また、左右いずれかへ、スライドさせて、ステー５やブラシ群Ｇ1 ，Ｇ2 等の取外しと取付けが、容易となる。
【図面の簡単な説明】
【００３３】
【図１】本発明の実施の一形態を示す平面図である。
【図２】往復移動を説明する平面図である。
【図３】駆動手段の簡略構成説明図である。
【図４】要部断面側面図である。
【図５】要部断面側面図である。
【図６】ステーの一例を示す平面図である。
【図７】ステーの正面図である。
【図８】図６のＥ−Ｅ又はＦ−Ｆ断面図である。
【図９】図６のＧ−Ｇ断面図である。
【図１０】上部パネルを示す底面図である。
【図１１】上部パネルの側面図である。
【図１２】開放状態の断面要部側面図である。
【図１３】要部説明図である。
【図１４】要部拡大説明図である。
【図１５】要部説明図である。
【図１６】要部拡大説明図である。
【図１７】ブラシの一例を示す図であり、（Ａ）は正面図、（Ｂ）は側面図である。
【図１８】使用状態を示す斜視図である。
【符号の説明】
【００３４】
２  ブラシ
２Ａ  基端
２Ｂ  先端
５  ステー
６  固定支持部材
７  スリット
８，９  回転輪
10  駆動手段
11  エンドレスベルト
11Ａ  下辺
11Ｂ  上辺
12  アクチュエータ
16  支持輪
18  底板
18Ａ  前縁
18Ｂ  後縁
19  上部パネル
21  第１連結機構
22  第２連結機構
31  第１棒材
32  第２棒材
33  窓部
35  蝶番
36  連動軸
37  短軸
41  第１係止片
42  第２係止片
51  第１受持部材
52  第２受持部材
Ｇ1   奇数ブラシ群
Ｇ2   偶数ブラシ群
【図１】
2009233160.tif 000003
【図２】
2009233160.tif 000004
【図３】
2009233160.tif 000005
【図４】
2009233160.tif 000006
【図５】
2009233160.tif 000007
【図６】
2009233160.tif 000008
【図７】
2009233160.tif 000009
【図８】
2009233160.tif 000010
【図９】
2009233160.tif 000011
【図１０】
2009233160.tif 000012
【図１１】
2009233160.tif 000013
【図１２】
2009233160.tif 000014
【図１３】
2009233160.tif 000015
【図１４】
2009233160.tif 000016
【図１５】
2009233160.tif 000017
【図１６】
2009233160.tif 000018
【図１７】
2009233160.tif 000019
【図１８】
2009233160.tif 000020